(57)【要約】【課題】溶着性ビーズ玩具の集合体の乾燥後の反りを低減するよう早めに保持トレイから取り外すことができる溶着性ビーズ玩具用スクレイパーを提供する。【解決手段】溶着性ビーズ玩具用スクレイパー１は、本体部１０と、本体部１０の後方側に設けられるヘラ部２０と、前記本体部１０に設けられて前記本体部１０から後方に傾斜して延在する支持部３２ｂと、前記支持部３２ｂに設けられる把持部３３と、を有する。溶着性ビーズ玩具８０の集合体の取り外しの作業は、把持部３３を手Ｈで握って、溶着性ビーズ玩具用スクレイパー１を引くようにして操作する。【選択図】    図６
2018029937.tif 000002
【特許請求の範囲】
【請求項１】
本体部と、
前記本体部の後方側に設けられるヘラ部と、
前記本体部に設けられて前記本体部から後方に傾斜して延在する支持部と、
前記支持部に設けられる把持部と、  
を有することを特徴とする溶着性ビーズ玩具用スクレイパー。
【請求項２】
前記ヘラ部は、平面視凹凸形状であることを特徴とする請求項１に記載の溶着性ビーズ玩具用スクレイパー。
【請求項３】
前記ヘラ部の平面視凹凸形状は、円弧形状であることを特徴とする請求項２に記載の溶着性ビーズ玩具用スクレイパー。
【請求項４】
前記ヘラ部の前記平面視凹凸形状は、複数の凸部が所定の間隔で配置されることを特徴とする請求項２又は請求項３に記載の溶着性ビーズ玩具用スクレイパー。
【請求項５】
前記把持部は、前記支持部の上端又は上端近傍から水平とされて前記本体部と略平行に設けられることを特徴とする請求項１乃至請求項４の何れかに記載の溶着性ビーズ玩具用スクレイパー。
【請求項６】
前記支持部は、前記本体部の左右両側に設けられて後方に傾斜して延在し、前記把持部は、左右の前記支持部に亘って設けられることを特徴とする請求項１乃至請求項５の何れかに記載の溶着性ビーズ玩具用スクレイパー。
【請求項７】
前記本体部の左右両側又は少なくとも一方の端部には、前記ヘラ部の前後方向への移動を案内するガイド部が設けられることを特徴とする請求項１乃至請求項６の何れかに記載の溶着性ビーズ玩具用スクレイパー。
【請求項８】
前記本体部の上面には、複数のリブ部が設けられることを特徴とする請求項１乃至請求項７の何れかに記載の溶着性ビーズ玩具用スクレイパー。
【請求項９】
前記リブ部は、前後方向又は左右方向に形成されて複数設けられることを特徴とする請求項８に記載の溶着性ビーズ玩具用スクレイパー。
【請求項１０】
前記リブ部は、前記ヘラ部から離れるほど前記本体部の面から高く形成されることを特徴とする請求項８又は請求項９に記載の溶着性ビーズ玩具用スクレイパー。
【請求項１１】
前記リブ部は、前後方向に形成されるとともに幅が前記ヘラ部側から漸次広くなる導入部を有することを特徴とする請求項８乃至請求項１０の何れかに記載の溶着性ビーズ玩具用スクレイパー。
【請求項１２】
前記ヘラ部は平面視凹凸形状であって、
前記リブ部は、前後に長く形成されて、左右方向に複数配置されるとともに、前記平面視凹凸形状における各凸部の中心と各前記リブ部の中心が一致するよう配置されることを特徴とする請求項８乃至請求項１１の何れかに記載の溶着性ビーズ玩具用スクレイパー。
【発明の詳細な説明】
【技術分野】
【０００１】
本発明は、保持トレイに載置された複数の溶着性ビーズ玩具を保持トレイから取り外すための溶着性ビーズ玩具用スクレイパーに関する。
【背景技術】
【０００２】
従来から、水溶性樹脂で形成された粒状のビーズを用いた溶着性ビーズ玩具が提供されている。特許文献１には、溶着性ビーズ玩具が載置されるよう複数の凹部が形成される保持トレイと、ベーストレイと、保持トレイとベーストレイとの間に差し込むシートを備えるビーズ玩具セットが開示されている。ここで、このシートには、図柄が記載されており、使用者はこの図柄に合わせて溶着性ビーズ玩具を保持トレイに配置することで、種々の形状の溶着性ビーズ玩具の集合体を作成することができる。
【０００３】
この溶着性ビーズ玩具は、例えば、ポリビニルアルコールを樹脂に配合して混練して粒状に形成される。そして、溶着性ビーズ玩具を保持トレイに載置した後、霧吹き等により水を溶着性ビーズ玩具に供給して湿潤状態とすることで、溶着性ビーズ玩具は溶融する。その後、所定時間放置して乾燥させると、溶融した樹脂が硬化し、溶着性ビーズ玩具同士が結合する。このようにして、主な使用者である子供は、所望の図柄の溶着性ビーズ玩具の集合体を作成して楽しむことができる。
【先行技術文献】
【特許文献】
【０００４】
【特許文献１】実用新案登録第３１３１２９２号公報
【発明の概要】
【発明が解決しようとする課題】
【０００５】
溶着性ビーズ玩具への水の供給は、溶着性ビーズ玩具が確実に溶融するよう十分な量の水が供給される。溶着性ビーズ玩具を十分に湿潤させた後の余分な水分は、保持トレイの凹部に溜まる。そして、水が供給された溶着性ビーズ玩具を自然乾燥させると、表面側の面が先に乾燥し、裏面側（すなわち、保持トレイ側の面側）は表面側の面に比べて乾燥速度が遅くなる。ここで、溶着性ビーズ玩具は、乾燥して硬化すると僅かに収縮する。従って、保持トレイに載置したまま乾燥させた溶着性ビーズ玩具の集合体は、表面側が先に乾燥して収縮するので、反った状態で完成することがある。すると、溶着性ビーズ玩具で遊ぶ子供にとって、楽しみが低減されてしまうことがある。
【０００６】
この溶着性ビーズ玩具の集合体の乾燥後の反りを防止するため、完全に乾燥する前の早い段階で溶着性ビーズ玩具を保持トレイから手で取り外そうとすると、完全に溶着性ビーズ玩具同士が結合していないので、折角並べた溶着性ビーズ玩具の集合体がバラバラに崩れてしまうことがある。また、保持トレイをひっくり返して溶着性ビーズ玩具の集合体を取り外そうとすると、保持トレイの凹部に溜まった水が飛散してしまう。凹部に溜まった水は、糊状の成分を含んでいるため、その拭き取りには手間が掛かってしまうことがある。さらに、各種のヘラ等の工具類を用いることもできるが、この場合、子供にとっては、ヘラ等の工具類の先端を溶着性ビーズ玩具の下側に潜り込ませることが難しい。
【０００７】
本発明の目的は、溶着性ビーズ玩具の集合体の乾燥後の反りを低減するよう早めに保持トレイから溶着性ビーズ玩具の集合体を取り外すことができる溶着性ビーズ玩具用スクレイパーを提供する。
【課題を解決するための手段】
【０００８】
本発明の一つの態様に係る溶着性ビーズ玩具用スクレイパーは、本体部と、前記本体部の後方側に設けられるヘラ部と、前記本体部に設けられて前記本体部から後方に傾斜して延在する支持部と、前記支持部に設けられる把持部と、を有する。
【発明の効果】
【０００９】
上記の態様によれば、保持トレイに載置された溶着性ビーズ玩具の集合体が硬化して結合するまでの所定時間を経過していなくても、容易に保持トレイから溶着性ビーズ玩具の集合体を取り外すことができる溶着性ビーズ玩具用スクレイパーを提供することができる。
【図面の簡単な説明】
【００１０】
【図１】本発明の実施形態に係る溶着性ビーズ玩具用スクレイパーを前方から見た斜視図である。
【図２】本発明の実施形態に係る溶着性ビーズ玩具用スクレイパーを後方から見た斜視図である。
【図３】本発明の実施形態に係る溶着性ビーズ玩具用スクレイパーを後方斜め下方から見た斜視図である。
【図４】本発明の実施形態に係る溶着性ビーズ玩具用スクレイパーの図１のＩＶ−ＩＶ断面における一部拡大断面図である。
【図５】本発明の実施形態に係るビーズ玩具用スクレイパーを図１のＰ方向から見た一部拡大平面図である。
【図６】本発明の実施形態に係る溶着性ビーズ玩具用スクレイパーを、溶着性ビーズ玩具の集合体が配置された保持トレイに載置した状態を示す斜視図である。
【図７】本発明の実施形態に係る溶着性ビーズ玩具用スクレイパーを保持トレイに載置した状態における図６のＱ部を拡大して、保持トレイの一部を断面とした部分拡大斜視図である。
【図８】本発明の実施形態に係る溶着性ビーズ玩具用スクレイパーを保持トレイに載置して後方に移動させ、溶着性ビーズ玩具の集合体を保持トレイから取り外している途中の状態を示す斜視図である。
【図９】本発明の実施形態に係る溶着性ビーズ玩具用スクレイパーを他の形態の保持トレイに載置した状態を示す斜視図である。
【図１０】（ａ），（ｂ）ともに、本発明の実施形態に係る溶着性ビーズ玩具用スクレイパーのヘラ部の平面視凹凸形状の変形例を示す一部拡大平面図である。
【図１１】本発明の実施形態に係る溶着性ビーズ玩具用スクレイパーの把持部の変形例を示す平面図である。
【図１２】本発明の実施形態に係る溶着性ビーズ玩具用スクレイパーのヘラ部の変形例を示す溶着性ビーズ玩具用スクレイパーを前方から見た斜視図である。
【図１３】本発明の実施形態に係る溶着性ビーズ玩具用スクレイパーのヘラ部の変形例を示す溶着性ビーズ玩具用スクレイパーを後方斜め下方から見た斜視図である。
【図１４】（ａ），（ｂ）ともに、本発明の実施形態に係る溶着性ビーズ玩具用スクレイパーのリブ部の変形例を示す斜視図である。
【発明を実施するための形態】
【００１１】
以下、図に基づいて本発明の実施形態を説明する。図１は溶着性ビーズ玩具用スクレイパー１を前方から見た斜視図である。図２は溶着性ビーズ玩具用スクレイパー１を後方から見た斜視図である。図３は溶着性ビーズ玩具用スクレイパー１を後方斜め下方から見た斜視図である。溶着性ビーズ玩具用スクレイパー１は、平面視横長で略矩形状の本体部１０を備える。本体部１０には、ヘラ部２０が設けられている。なお、以下の説明においては、溶着性ビーズ玩具用スクレイパー１においてヘラ部２０側の反対側を前とし、ヘラ部２０側を後とする。そして、後方から前方を見たときの左手側を左、右手側を右とする。
【００１２】
この溶着性ビーズ玩具用スクレイパー１は、図６〜図９に示す保持トレイ５０，６０等に載置してヘラ部２０を後進させることにより、保持トレイ５０，６０に載置された溶着性ビーズ玩具８０の集合体を、溶着性ビーズ玩具８０の集合体が完全に硬化して結合するまでの所定時間よりも短い時間で取り外すことができるものである。
【００１３】
先ず、図１〜図５に基づいて、溶着性ビーズ玩具用スクレイパー１の構成を説明する。溶着性ビーズ玩具用スクレイパー１の本体部１０は、左右に長い略矩形の板状に形成されている。図３及び図４に示すように、本体部１０の下面１１は、水平な平坦面とされている。一方、図１、図２、図４に示すように、本体部１０の上面１２は、後方側から前方側に亘って登る傾斜面１２ａと、傾斜面１２ａの前方側で傾斜面１２ａと連続する平坦面１２ｂと、により形成されている。なお、平坦面１２ｂと下面１１は平行である。
【００１４】
ヘラ部２０は、図１〜図３に示すように、平面視凹凸形状とされている。より詳細には、図５に示すように、ヘラ部２０は、複数の凸円弧部２１（凸部）が本体部１０の後端に所定の間隔Ｓで左右方向に複数配置されて形成される。複数の凸円弧部２１（凸部）が配置される左右方向は、ヘラ部２０の移動方向に対して同一平面内直角方向である。また、間隔Ｓとされる凸円弧部２１間の本体部１０の後端は、左右方向に直線状に形成される。
【００１５】
そして、図４に示すように、凸円弧部２１の上面２１ａは、本体部１０の上面１２の傾斜面１２ａと連続する傾斜面とされている。一方、凸円弧部２１の下面２１ｂは、本体部１０の下面１１と連続する平坦面とされている。なお、凸円弧部２１の端部２１ｃは、側面視において角Ｒ状とされている。間隔Ｓにおける本体部１０の端部１０ａは、角Ｒ状の先端部が下方にオフセットするよう形成されている。そして、本体部１０の上下の端部１０ｂ，１０ｃも角Ｒ状とされている。下側の端部１０ｂの方が、上側の端部１０ｃよりも角Ｒ寸法が大きく設定されている。これにより、濡れた保持トレイ５０，６０の上面に載置される本体部１０の下面１１をスムーズに移動させることができる。
【００１６】
図１、図２、図４、図５に特に示すように、本体部１０の上面１２には、前後に長いリブ部２５が形成されている。リブ部２５は、左右方向に複数配置されている。図４に示すように、リブ部２５は、本体部１０の上面１２から上方に突出するように形成される。リブ部２５の上面は、傾斜リブ部２５ａと、傾斜リブ部２５ａと前方側で連続する平坦リブ部２５ｂが形成されている。傾斜リブ部２５ａは、傾斜面１２ａに位置する区間における上面１２からの高さが漸次高くなるよう形成される。平坦リブ部２５ｂは、平坦面１２ｂに位置する区間において、上面１２からの高さが所定の高さで水平となるよう形成される。なお、傾斜リブ部２５ａ及び平坦リブ部２５ｂは、前後方向から見てラウンド形状とされている。
【００１７】
そして、図５に示すように、リブ部２５の後端は、導入部２５ｃが形成されている。導入部２５ｃは、リブ部２５の後端からリブ部２５の前後長の略１／４程度までの区間において、リブ部２５の左右方向の幅が漸次広くなるようテーパー状に形成される。導入部２５ｃの前方には、導入部２５ｃと連続して直線状部２５ｄが形成されている。直線状部２５ｄは、本体部１０の前端まで延設されている。また、各リブ部２５の左右方向の中心線ＣＬは、ヘラ部２０の各凸円弧部２１の中心と一致するように配置されている。そして、凸円弧部２１とリブ部２５は、同数が配置されている。
【００１８】
なお、本実施形態においては、各リブ部２５の中心線ＣＬの間隔は、図６で示す溶着性ビーズ玩具８０の直径と略同じとされている。中心線ＣＬの間隔は、溶着性ビーズ玩具８０の直径以下としておけば、溶着性ビーズ玩具８０の集合体を取り外す際に溶着性ビーズ玩具８０をリブ部２５により支持することができる。これにより、湿潤している溶着性ビーズ玩具８０の下面側が本体部１０の上面に接触して、溶着性ビーズ玩具８０がくっついてしまうことが低減される。
【００１９】
以上のように形成される本体部１０の左右両側には、図１〜図３に示すように、ガイド部３０（左ガイド部３０ａ、右ガイド部３０ｂ）が設けられている。ガイド部３０は、保持トレイ５０，６０上における溶着性ビーズ玩具用スクレイパー１のヘラ部２０の移動をガイドするものである。
【００２０】
左ガイド部３０ａ、右ガイド部３０ｂは、それぞれ板状ガイド部３１ａ，３１ｂを備える。板状ガイド部３１ａ，３１ｂは、本体部１０の左右両端からそれぞれ上方に立設する板状に形成される。板状ガイド部３１ａ，３１ｂは、それぞれ前面３１ａ１，３１ｂ１が後方側に傾斜した側面視略直角三角形状とされている。そして、図２〜図４（特に図４）に示すように、板状ガイド部３１ａ，３１ｂの後端面３１ａ２，３１ｂ２は、前後方向の位置が、ヘラ部２０の各凸円弧部２１の最後端部（端部２１ｃ）よりも後方に位置している。また、図３に示すように、板状ガイド部３１ａ，３１ｂの下面は、本体部１０の下面１１と連続した平坦面とされている。
【００２１】
図１〜図３に示すように、板状ガイド部３１ａ，３１ｂそれぞれの外側面３１ａ３，３１ｂ３の外側には、所定の間隔を隔ててブロック状ガイド部３４ａ，３４ｂが設けられている。ブロック状ガイド部３４ａ，３４ｂも、前面３４ａ１，３４ｂ１が後方に傾斜した側面視略直角三角形状のブロック状に形成されている。なお、前面３４ａ１，３４ｂ１は、外側面が前後方向から見て凸円弧状とされている。ブロック状ガイド部３４ａ，３４ｂの前端は、上下方向に面削ぎされた平坦部３４ａ２，３４ｂ２が形成されている。ブロック状ガイド部３４ａ，３４ｂの後面３４ａ３，３４ｂ３は、板状ガイド部３１ａ，３１ｂの後端面３１ａ２，３１ｂ２よりも後方に位置している（図４も参照）。また、図３及び図４に特に示すように、ブロック状ガイド部３４ａ，３４ｂの下面３４ａ５，３４ｂ５は、本体部１０の下面１１と同一平面に位置している。
【００２２】
図１に示すように、板状ガイド部３１ａ，３１ｂ及びブロック状ガイド部３４ａ，３４ｂは、それぞれの上方に位置する支持部３２ａ，３２ｂにより連結されている。支持部３２ａ，３２ｂは、それぞれ幅広の略板状に形成されている。板状ガイド部３１ａ，３１ｂの前面３１ａ１，３１ｂ１、ブロック状ガイド部３４ａ，３４ｂの前面３４ａ１，３４ｂ１、支持部３２ａ，３２ｂの前面３２ａ１，３２ｂ１は、それぞれ連続した面とされている。従って、支持部３２ａ，３２ｂの前面３２ａ１，３２ｂ１は、板状ガイド部３１ａ，３１ｂの前面３１ａ１，３１ｂ１及びブロック状ガイド部３４ａ，３４ｂの前面３４ａ１，３４ｂ１と同様に後方に傾斜して延在する。
【００２３】
そして、支持部３２ａ，３２ｂの各上端部同士を接続するように支持部３２ａ，３２ｂに亘って把持部３３が形成されている。把持部３３は幅広の略板状に形成されて、その前面３３ａは板状ガイド部３１ａ，３１ｂの前面３１ａ１，３１ｂ１、ブロック状ガイド部３４ａ，３４ｂの前面３４ａ１，３４ｂ１、支持部３２ａ，３２ｂの前面３２ａ１，３２ｂ１と連続した面とされている。従って同様に、把持部３３の前面３３ａは、支持部３２ａ，３２ｂの前面３２ａ１，３２ｂ１、板状ガイド部３１ａ，３１ｂの前面３１ａ１，３１ｂ１及びブロック状ガイド部３４ａ，３４ｂの前面３４ａ１，３４ｂ１と同様に後方に傾斜して延在する。また、把持部３３の上下方向の位置は、ヘラ部２０よりも上方で、かつ、把持部３３の前後方向の位置は、ヘラ部２０よりも十分に後側に位置している。また、把持部３３の左右の両端（すなわち、支持部３２ａ，３２ｂと把持部３３の接続部）には、星形の装飾部３５ａ，３５ｂが形成されている。
【００２４】
なお、把持部３３や支持部３２ａ，３２ｂは、略シェル状に形成されて、適宜樹脂成形における肉盗みが施され、各シェル状の内側には適宜リブが形成されている。また、ブロック状ガイド部３４ａ，３４ｂの内部も肉盗みが施されて空間部が形成されている。
【００２５】
このように形成される溶着性ビーズ玩具用スクレイパー１は、例えば、図６に示す保持トレイ５０に載置することができる。保持トレイ５０には、球形とされる複数の溶着性ビーズ玩具８０が載置され並べられている。ここで、溶着性ビーズ玩具８０は公知のものが用いられる。例えば、溶着性ビーズ玩具８０は、ポリビニルアルコールを樹脂に配合して混錬して形成される。その形状は、本実施形態においては、真球形状の溶着性ビーズ玩具８０を示しているが、この他、多面体形状等に成形することもできる。また、種々の色の溶着性ビーズ玩具８０を用いることもできる。
【００２６】
また、保持トレイ５０は、溶着性ビーズ玩具８０とともに公知の一例の保持トレイ５０である。保持トレイ５０は平面視略正方形の板状に形成されている。保持トレイ５０の表面には複数の円形の凹部５２が設けられている。凹部５２は、異なる行（または列）毎にオフセットして配置されている。これにより、凹部５２に載置された１つの溶着性ビーズ玩具８０を中心として、放射状に６個の溶着性ビーズ玩具８０を凹部５２に載置することができる。また、凹部５２の直径は、溶着性ビーズ玩具８０の直径よりも小さく形成されるとともに、隣り合う凹部５２の中心間の距離は、隣り合う凹部５２に配置された溶着性ビーズ玩具８０が相互に接触して又は相互に僅かに接触しない程度に配置されるよう設定されている。なお、その他の公知の保持トレイには、丸などの形状をしたものや、凹部５２が上記のようにオフセットしないで並列して配置されているものがある。
【００２７】
さらに、保持トレイ５０には、四方の外周縁部に壁状の縁壁部５４が形成されている。具体的には、縁壁部５４は、左側の左縁壁部５４ａと、右側の右縁壁部５４ｂと、前側の前縁壁部５４ｃと、後側の後縁壁部５４ｄと、がそれぞれ角部で角Ｒ状に連結されて形成されている。対向する縁壁部５４の面間距離（例えば左縁壁部５４ａの内側面と右縁壁部５４ｂの内側面の距離）は、溶着性ビーズ玩具用スクレイパー１の板状ガイド部３１ａ，３１ｂの外側面３１ａ３，３１ｂ３間の距離よりも若干大きく設定されている。換言すれば、板状ガイド部３１ａ，３１ｂは、外側面３１ａ３，３１ｂ３と対向する縁壁部５４（左縁壁部５４ａ、右縁壁部５４ｂ）の内側面近傍に配置される。
【００２８】
保持トレイ５０に載置した複数の溶着性ビーズ玩具８０は、霧吹き等で水が供給されてから硬化して結合するまでの所定時間（例えば、３０分〜６０分程度）が経過すると、湿潤状態の溶着性ビーズ玩具８０は乾燥し、溶融した溶着性ビーズ玩具８０同士が結合して硬化する。溶着性ビーズ玩具用スクレイパー１による溶着性ビーズ玩具８０の集合体の保持トレイ５０からの取り外しは、溶着性ビーズ玩具８０が硬化して結合するまでの所定時間よりも短い時間（例えば、１５分〜２０分程度）で行う。ここでいう溶着性ビーズ玩具８０が硬化して結合するまでの所定時間よりも短い時間における溶着性ビーズ玩具８０の状態は、複数の溶着性ビーズ玩具８０の露出している上面側は既に硬化が進行していて、保持トレイ５０の凹部５２側の面は湿潤状態とされる。この状態における溶着性ビーズ玩具８０の集合体は、手である程度の力を加えて引っ張ると分離してしまう程の結合状態である。なお、図６及び図８において、溶着性ビーズ玩具８０に網掛けを施している部分は、湿潤状態であることを示している。
【００２９】
次に、溶着性ビーズ玩具８０の集合体を溶着性ビーズ玩具用スクレイパー１で保持トレイ５０から取り外す手順を以下に説明する。保持トレイ５０に載置した溶着性ビーズ玩具８０の集合体に水を供給し、溶着性ビーズ玩具８０の集合体が硬化して結合するまでの所定時間よりも短い時間（例えば１５分〜２０分程度）経過後、溶着性ビーズ玩具用スクレイパー１を保持トレイ５０に載置する。溶着性ビーズ玩具用スクレイパー１を保持トレイ５０に載置する位置は、図６に示すように、溶着性ビーズ玩具８０の集合体よりも前方側に位置するように載置する。ここで、使用者は、溶着性ビーズ玩具用スクレイパー１の後側に着座等する。なお、図６及び図８では使用者の手を符号Ｈで表す。使用者は、溶着性ビーズ玩具用スクレイパー１の把持部３３を手Ｈで握って、前方側から後方側に向けて、溶着性ビーズ玩具用スクレイパー１を引くようにして溶着性ビーズ玩具用スクレイパー１を後進させる。
【００３０】
溶着性ビーズ玩具用スクレイパー１の後進時には、板状ガイド部３１ａ，３１ｂの外側面３１ａ３，３１ｂ３が左縁壁部５４ａ及び右縁壁部５４ｂそれぞれの内側面にガイドされる。そして、把持部３３の位置は、ヘラ部２０の位置よりも上方で、かつ、ヘラ部２０の位置よりも十分に後側に位置しているので、本体部１０の下面１１は、全面が保持トレイ５０の載置面に接触するか、下面１１の前方側が保持トレイ５０の載置面から離間して僅かに後方に傾斜する。すると、ヘラ部２０の先端は、溶着性ビーズ玩具８０の下端部分に入り込む。
【００３１】
さらに、ヘラ部２０は、複数の凸円弧部２１を備える平面視凹凸形状とされるので、全部又は一部の隣接する溶着性ビーズ玩具８０において、各凸円弧部２１の先端部分を溶着性ビーズ玩具８０同士が接触又は近接して結合している部分の下側の空間に差し込むことができる。そしてさらに、複数のリブ部２５の先端の導入部２５ｃにより、隣り合うリブ部２５間に位置される溶着性ビーズ玩具８０は、徐々に隣り合うリブ部２５の傾斜リブ部２５ａ上に位置されるようになる。このとき、複数の溶着性ビーズ玩具８０の湿潤している下面は、当初は本体部１０の上面１２（傾斜面１２ａの先端部分）に接触しているが、徐々に本体部１０の上面１２（傾斜面１２ａ）から離間される。このようにして、溶着性ビーズ玩具８０の集合体は、図８に示すように、保持トレイ５０から取り外すことができる。
【００３２】
取り外した溶着性ビーズ玩具８０の集合体は、使用者により、湿潤状態である各溶着性ビーズ玩具８０の下側が上側となるように手でひっくり返して机上等に置くことができる。すると、湿潤状態の溶着性ビーズ玩具８０の面が表面側になるので、湿潤状態の面の硬化が、既に硬化が進行している側の面よりも促進される。従って、溶着性ビーズ玩具８０の集合体は、保持トレイ５０上で載置されたまま硬化させるよりも、略均等に硬化される。よって、溶着性ビーズ玩具８０の集合体の一方面が先に硬化して収縮することによる溶着性ビーズ玩具８０の集合体の反りが低減される。
【００３３】
また、上記手順によれば、保持トレイ５０上で溶着性ビーズ玩具８０の集合体を載置したまま完全に硬化させるよりも早く保持トレイ５０から溶着性ビーズ玩具８０の集合体を取り外すことができる。従って、使用者は、より早く次の溶着性ビーズ玩具８０の集合体の製作に取り掛かることができる。
【００３４】
なお、溶着性ビーズ玩具用スクレイパー１を後進させ続けた場合には、板状ガイド部３１ａ，３１ｂの後端面３１ａ２，３１ｂ２が後縁壁部５４ｄの内側面に当接するので、ヘラ部２０の先端が後縁壁部５４ｄの内側面に当接することがない。従って、使用者である子供が誤って溶着性ビーズ玩具用スクレイパー１を後進し過ぎても、板厚を薄く形成されるヘラ部２０の先端部分が後縁壁部５４ｄの内側面に衝突して破損されるリスクを低減することができる。
【００３５】
また、図９に示すように、溶着性ビーズ玩具用スクレイパー１は、前述の保持トレイ５０よりも大型の保持トレイ６０にも用いることができる。保持トレイ６０は、前述の保持トレイ５０の凹部５２と同様に複数の凹部６２が設けられている。複数の凹部６２の外周には、縁壁部６４が壁状に立設している。ここで、保持トレイ６０の上面のうち、左右の縁壁部６４の外方のサイド面６６ａ，６６ｂは、複数の凹部６２が形成される面（換言すれば、本体部１０の下面１１が載置される面）よりも低く形成されている。
【００３６】
この保持トレイ６０の複数の凹部６２にも、複数の溶着性ビーズ玩具８０を任意の図柄となるよう配置することができる。そして、前述の手順と同様に、溶着性ビーズ玩具８０の集合体を保持トレイ６０から取り外すことができる。
【００３７】
ここで、縁壁部６４のうち前後方向に延在する縁壁部６４の外側面と、ブロック状ガイド部３４ａ，３４ｂの内側面３４ａ４，３４ｂ４は対向して位置して、溶着性ビーズ玩具用スクレイパー１の移動をガイドする。従って、溶着性ビーズ玩具用スクレイパー１を後進させる場合に、ブロック状ガイド部３４ａ，３４ｂの内側面３４ａ４，３４ｂ４と縁壁部６４の外側面とで溶着性ビーズ玩具用スクレイパー１を安定させながらヘラ部２０を後進させることができる。
【００３８】
以上のような本発明の実施形態によれば、下記の態様の溶着性ビーズ玩具用スクレイパーを提供することができる。
【００３９】
第１の態様に係る溶着性ビーズ玩具用スクレイパーは、本体部と、前記本体部の後方側に設けられるヘラ部と、前記本体部に設けられて前記本体部から後方に傾斜して延在する支持部と、前記支持部に設けられる把持部と、を有する。
【００４０】
この構成によれば、使用者は溶着性ビーズ玩具用スクレイパーの後側に着座等して溶着性ビーズ玩具用スクレイパーを引くように操作して、溶着性ビーズ玩具の集合体の保持トレイからの取り外し作業を行うことができる。従って、溶着性ビーズ玩具用スクレイパーの操作が引き操作となるので、子供にとっても取り外しの作業が行い易い溶着性ビーズ玩具用スクレイパーとすることができる。
【００４１】
そして、溶着性ビーズ玩具の集合体が硬化して結合するまでの所定時間よりも短い時間で保持トレイから溶着性ビーズ玩具の集合体を取り外すことができる。従って、硬化の際の収縮による溶着性ビーズ玩具の集合体の反りを低減することができ、さらに、次の溶着性ビーズ玩具の集合体の製作も早く取りかかることができる。
【００４２】
第２の態様に係る溶着性ビーズ玩具用スクレイパーは、前記ヘラ部は、平面視凹凸形状である。
【００４３】
この構成によれば、球形状等のビーズである溶着性ビーズ玩具の集合体に対し、平面視凹凸形状のヘラ部が確実に溶着性ビーズ玩具の集合体の下側に入り込んで、容易に保持トレイから溶着性ビーズ玩具の集合体を取り外すことができる。
【００４４】
第３の態様に係る溶着性ビーズ玩具用スクレイパーは、前記ヘラ部の前記平面視凹凸形状は、円弧形状である。
【００４５】
この構成によれば、平面視凹凸形状のヘラ部の先端を手で触れても尖ったところがないので、取り扱いをさらに容易とした溶着性ビーズ玩具用スクレイパーを提供することができる。
【００４６】
第４の態様に係る溶着性ビーズ玩具用スクレイパーは、前記ヘラ部の前記平面視凹凸形状は、複数の凸部が所定の間隔で配置される。
【００４７】
この構成によれば、凸部間の所定の間隔を溶着性ビーズ玩具の直径に合わせて適宜設定することにより、凸部の先端が溶着性ビーズ玩具同士の接触部下方の空間に差し込ませることができる。すると、本体部の上面上に溶着性ビーズ玩具をスムーズに誘導することができるので、さらに容易に溶着性ビーズ玩具の集合体の取り外しの作業を行うことができる。
【００４８】
第５の態様に係る溶着性ビーズ玩具用スクレイパーは、前記把持部は、前記支持部の上端又は上端近傍から水平とされて前記本体部と略平行に設けられる。
【００４９】
この構成によれば、本体部の後方上方に位置する把持部を握って溶着性ビーズ玩具用スクレイパーを移動させる際、把持部と本体部とが平行であるため、本体部ひいてはヘラ部の全体を、保持トレイの上面に均一に接触させるようにして、引き操作により溶着性ビーズ玩具の集合体の取り外しを容易に行うことができる。
【００５０】
第６の態様に係る溶着性ビーズ玩具用スクレイパーは、前記支持部は、前記本体部の左右両側に設けられて後方に傾斜して延在し、前記把持部は、左右の前記支持部に亘って設けられる。
【００５１】
この構成によれば、把持部の両端が本体部の両端に接続固定されているので、把持部の左右端部への力の強弱によりヘラ部の全体を保持トレイの上面へ均一に接触させ、引き操作により、子供にとっても取り外しの作業を行い易い溶着性ビーズ玩具用スクレイパーを提供することができる。
【００５２】
第７の態様に係る溶着性ビーズ玩具用スクレイパーは、前記本体部の左右両側又は少なくとも一方の端部には、前記ヘラ部の前後方向への移動を案内するガイド部が設けられる。
【００５３】
この構成によれば、ヘラ部の移動が安定して案内されるので、溶着性ビーズ玩具の集合体の保持トレイからの取り外しがさらに確実に行うことができる。
【００５４】
第８の態様に係る溶着性ビーズ玩具用スクレイパーは、前記本体部の上面には複数のリブ部が設けられる。
【００５５】
この構成によれば、ヘラ部により取り外された溶着性ビーズ玩具は隣り合うリブ部により支持されるようにしてリブ部上に位置されるので、溶着性ビーズ玩具の集合体はリブ部で支持される。従って、湿潤状態である溶着性ビーズ玩具の下面が本体部の上面にくっついてしまうこともなく、保持トレイから溶着性ビーズ玩具の集合体をスムーズに取り外すことができる。
【００５６】
第９の態様に係る溶着性ビーズ玩具用スクレイパーは、前記リブ部は、前後方向又は左右方向に形成されて複数設けられる。
【００５７】
この構成によれば、リブ部が前後方向に形成された場合、溶着性ビーズ玩具の集合体が本体部の上に乗り上げて保持トレイと分離される際、溶着性ビーズ玩具用スクレイパーの前後方向への滑動動作をスムーズに行わせることができる。また、リブ部が左右方向に形成された場合、各溶着性ビーズ玩具を確実にリブ部に接触させることができるため、溶着性ビーズ玩具の集合体を確実に保持トレイから上方へ分離するように誘導させることができる。
【００５８】
第１０の態様に係る溶着性ビーズ玩具用スクレイパーは、前記リブ部は、前記ヘラ部から離れるほど前記本体部の面から高く形成される。
【００５９】
この構成によれば、溶着性ビーズ玩具の集合体が、本体部に付着することを防いで保持トレイからの分離を確実に行うことができる。また、溶着性ビーズ玩具が保持トレイから徐々に離れるように分離されるため、分離後の溶着性ビーズ玩具の集合体を手で拾い上げる等その後の取り扱いを使用者に容易に行わせることができる。
【００６０】
第１１の態様に係る溶着性ビーズ玩具用スクレイパーは、前記リブ部は、前後方向に形成されるとともに幅が前記ヘラ部側から漸次広くなる導入部を有する。
【００６１】
この構成によれば、ヘラ部で取り外された溶着性ビーズ玩具の集合体をヘラ部上面を経由して本体部の上面からリブ部の上面側に向かって徐々に移動させることができるため、溶着性ビーズ玩具の集合体を保持トレイから容易に取り外すことができる。
【００６２】
第１２の態様に係る溶着性ビーズ玩具用スクレイパーは、前記リブ部は、前後に長く形成されて、左右方向に複数配置されるとともに、前記平面視凹凸形状における各凸部の中心と前記各リブ部の中心が一致するよう配置される。
【００６３】
この構成によれば、リブ部の長手方向を、前後方向に動かすヘラ部に対応して配置することができるので、ヘラ部に対して相対的に前後方向に移動する溶着性ビーズ玩具の集合体をスムーズにリブ部上で支持することができる。
【００６４】
以上、本発明の実施形態について説明したが、本発明は上記実施形態に限定されるものではなく、その要旨を逸脱しない限りにおいて、種々の変更が可能である。なお、以下に説明する図１０〜図１４では、前述の実施形態と同じ部材や箇所は同じ符号を付して、その説明は省略又は簡略化する。
【００６５】
即ち、ヘラ部２０の形状は、連続して配置される凸円弧部２１とする平面視凹凸形状に限られず、適宜の形状とすることができる。例えば、図１０（ａ）に示す連続して配置される三角形状２１Ａを備える平面視凹凸形状のヘラ部２０Ａとすることもできる。さらに、図１０（ｂ）に示すように、凸円弧部２１Ｂ１と台形形状２１Ｂ２を交互に配置した平面視凹凸形状のヘラ部２０Ｂとすることもできる。この他、ヘラ部２０の平面視凹凸形状は、波形状、不均一な種々の凹凸形状等、種々の平面視凹凸形状とすることができる。このとき、各凹凸形状における先端部の前後方向の位置は、略同一とされるのが好ましい。
【００６６】
また、支持部３２は、本体部１０の左右両端に設ける場合に限ることなく、図１１に示すように、本体部１０の一方の端部にブロック状ガイド部３４ｂと支持部３２ｂを設けることもある。
【００６７】
この溶着性ビーズ玩具用スクレイパー１Ａとした変形例を示す実施の形態では、上面１２にリブ部２５を有し、後端にリブ部２５と同数の凸円弧部２１を備えるヘラ部２０を有する本体部１０は、図１等に示した前述の本体部１０と同様であり、本体部１０の一方の端部に板状ガイド部３１ｂを備える。そして、所定の間隔を隔てたブロック状ガイド部３４ｂを支持部３２ｂにより連結することも、図１等に示した前述のガイド部３０ｂや支持部３２ｂと同様である。更に、この実施の形態では、支持部３２ｂの上端から水平に、本体部１０と略平行とする把持部３３を設けて溶着性ビーズ玩具用スクレイパー１Ａを容易に把持して移動させることができるようにしている。
【００６８】
尚、図１１に示した溶着性ビーズ玩具用スクレイパー１Ａは、支持部３２ｂの上端から板棒状の把持部３３を水平に突出させているも、支持部３２ｂの上端を把持部３３よりも上方に突出させて支持部３２ｂの上端に装飾部３５ｂを取り付け、把持部３３を支持部３２ｂの上端近傍の中間位置から水平に突出させることもある。更には、把持部３３を図１１に示したような板棒状として支持部３２ｂから水平に突出させる場合に限ることなく、支持部３２ｂの上端に膨大部を形成し、子供が手で握ることが容易にできる球形状の把持部３３として支持部３２ｂの上端に把持部３３を設けることもある。
【００６９】
また、ヘラ部２０を図１２、図１３に示すように、凹凸形状を有しない平面視直線状とすることもある。この溶着性ビーズ玩具用スクレイパー１Ｂにおいてヘラ部２０が形成される左右方向は、ヘラ部２０の移動方向に対して同一平面内直角方向である。
【００７０】
そして、本体部１０の上面に設けられるリブ部２５の後端には、導入部２５ｃが形成され、導入部２５ｃの前方には、導入部２５ｃと連続して直線状部２５ｄが形成され、直線状部２５ｄは、本体部１０の前端まで延設されることは、図１等に示した実施の形態と同様である。
【００７１】
なお、本実施形態においては、各リブ部２５の左右方向の中心線の間隔は、図６で示す溶着性ビーズ玩具８０の直径と略同じとされ、左ガイド部３０ａ、右ガイド部３０ｂを備え、板状ガイド部３１ａ，３１ｂの後端面３１ａ２，３１ｂ２は、前後方向の位置が、ヘラ部２０の最後端部（端部１０ａ）よりも後方に位置し、板状ガイド部３１ａ，３１ｂの下面は、本体部１０の下面１１と連続した平坦面とされることも、図１等に示した実施の形態と同様である。
【００７２】
更に、図１４（ａ），（ｂ）に、前述の溶着性ビーズ玩具用スクレイパー１のリブ部２５を変形した溶着性ビーズ玩具用スクレイパー１Ｃ，１Ｄを示す。図１４（ａ）に示す溶着性ビーズ玩具用スクレイパー１Ｃは、本体部１０の上面に、左右方向に亘って長く形成されたリブ部２５Ｃが形成されている。そして、リブ部２５Ｃは、前側から順に、リブ部２５Ｃ１，２５Ｃ２，２５Ｃ３の３本が形成されている。リブ部２５Ｃ１，２５Ｃ２，２５Ｃ３は、側面視半円状に形成されている。そして、この側面視半円状の径は、前側のリブ部２５Ｃ１が一番大きく形成され、リブ部２５Ｃ２，２５Ｃ３の順に小さくなるよう形成されている。そして、リブ部２５Ｃ１，２５Ｃ２，２５Ｃ３同士の間隔は、図６における溶着性ビーズ玩具８０の直径以下に形成されている。従って、このように形成されるリブ部２５Ｃにおいても、溶着性ビーズ玩具８０の集合体を保持トレイ５０，６０等から取り外す際における溶着性ビーズ玩具８０の本体部１０の上面への付着を低減することができる。
【００７３】
また、図１４（ｂ）に示す溶着性ビーズ玩具用スクレイパー１Ｄにおけるリブ部２５Ｄのように、図１４（ａ）におけるリブ部２５Ｃを間欠状に配置することもできる。この場合、前後方向のリブ部２５Ｄ１，２４Ｄ２，２５Ｄ３同士の間隔を溶着性ビーズ玩具８０の直径以下に設定するとともに、左右方向のリブ部２５Ｄ同士（すなわち、リブ部２５Ｄ１同士、リブ部２５Ｄ２同士、リブ部２５Ｄ３同士）の間隔も溶着性ビーズ玩具８０の直径以下に設定すれば、溶着性ビーズ玩具８０の集合体を保持トレイ５０，６０から取り外す際における溶着性ビーズ玩具８０の本体部１０の上面への付着をさらに低減することができる。
【００７４】
なお、図示はしないが、溶着性ビーズ玩具用スクレイパー１，１Ａ，１Ｂの前後方向に形成されたリブ部２５を、溶着性ビーズ玩具８０の直径以下の間隔で間欠状に配置してもよい。
【符号の説明】
【００７５】
１，１Ａ，１Ｂ，１Ｃ，１Ｄ        溶着性ビーズ玩具用スクレイパー
１０      本体部                            １０Ａ    本体部
１０Ｂ    本体部
１０ａ    端部                              １０ｂ    端部
１０ｃ    端部                              １１      下面
１２      上面                              １２ａ    傾斜面
１２ｂ    平坦面                            ２０      ヘラ部
２０Ａ    ヘラ部                            ２０Ｂ    ヘラ部
２１      凸円弧部                          ２１Ａ    三角形状
２１Ｂ１  凸円弧部                          ２１Ｂ２  台形形状
２１ａ    上面                              ２１ｂ    下面
２１ｃ    端部
２５      リブ部                            ２５Ｂ    リブ部
２５Ｃ    リブ部                            ２５Ｄ    リブ部
２５ａ    傾斜リブ部                        ２５ｂ    平坦リブ部
２５ｃ    導入部                            ２５ｄ    直線状部
３０      ガイド部                          ３０ａ    左ガイド部
３０ｂ    右ガイド部                        ３１ａ    板状ガイド部
３１ａ１  前面                              ３１ａ２  後端面
３１ａ３  外側面                            ３１ｂ    板状ガイド部
３１ｂ１  前面                              ３１ｂ２  後端面
３１ｂ３  外側面                            ３２ａ    支持部
３２ａ１  前面                              ３２ｂ    支持部
３２ｂ１  前面                              ３３      把持部
３３ａ    前面                              ３４ａ    ブロック状ガイド部
３４ａ１  前面                              ３４ａ２  平坦部
３４ａ３  後面                              ３４ａ４  内側面
３４ａ５  下面                              ３４ｂ    ブロック状ガイド部
３４ｂ１  前面                              ３４ｂ２  平坦部
３４ｂ３  後面                              ３４ｂ４  内側面
３４ｂ５  下面                              ３５ａ    装飾部
３５ｂ    装飾部                            ５０      保持トレイ
５２      凹部                              ５４      縁壁部
５４ａ    左縁壁部                          ５４ｂ    右縁壁部
５４ｃ    前縁壁部                          ５４ｄ    後縁壁部
６０      保持トレイ                        ６２      凹部
６４      縁壁部                            ６６ａ    サイド面
６６ｂ    サイド面                          ８０      溶着性ビーズ玩具
【図１】
2018029937.tif 000003
【図２】
2018029937.tif 000004
【図３】
2018029937.tif 000005
【図４】
2018029937.tif 000006
【図５】
2018029937.tif 000007
【図６】
2018029937.tif 000008
【図７】
2018029937.tif 000009
【図８】
2018029937.tif 000010
【図９】
2018029937.tif 000011
【図１０】
2018029937.tif 000012
【図１１】
2018029937.tif 000013
【図１２】
2018029937.tif 000014
【図１３】
2018029937.tif 000015
【図１４】
2018029937.tif 000016